(57)【要約】【課題】ルーバーのばねがルーバー外径に飛び出し梱包時に邪魔をする可能性があった。【解決手段】線材で形成され中央部に円形状に巻いた巻回部を有し両側に脚部を形成されたばねと、前記巻回部と係合する取付部を有するルーバーと、前記脚部の開き弾性力を利用して前記ルーバーと係合する係合部を有する換気扇本体と、を備えた天井埋込形換気扇であって、前記取付部は、前記ルーバーの表面から前記換気扇本体側に突出する２つの基部と、前記基部の先端から他の基部の先端に向けて延設された引掛け部と、２つの前記引掛け部にて形成され前記巻回部を通過させるための隙間と、前記２つの基部と前記引掛け部と前記ルーバーの表面とで形成され前記隙間を通過させた前記巻回部を回動するための回動空間とを備え、前記回動空間は、前記ルーバーの表面側に比して前記引掛け部側の幅が狭い幅狭構造を備えた天井埋込形換気扇。【選択図】図６
2019039643.tif 000002
【特許請求の範囲】
【請求項１】
線材で形成され中央部に円形状に巻いた巻回部を有し両側に脚部を形成されたばねと、
前記巻回部と係合する取付部を有するルーバーと、
前記脚部の開き弾性力を利用して前記ルーバーと係合する係合部を有する換気扇本体と、を備えた天井埋込形換気扇であって、
前記取付部は、
前記ルーバーの表面から前記換気扇本体側に突出する２つの基部と、
前記基部の先端から他の基部の先端に向けて延設された引掛け部と、
２つの前記引掛け部にて形成され前記巻回部を通過させるための隙間と、
前記２つの基部と前記引掛け部と前記ルーバーの表面とで形成され前記隙間を通過させた前記巻回部を回動するための回動空間と、を備え、
前記基部は、
前記ルーバーの表面を起点として前記基部の突出先端方向に向けて前記基部の突出を補強するための第１リブを備え、
前記第１リブは、
前記起点と前記突出先端との間に前記巻回部の円周部側面を位置させる台座部を備えた天井埋込形換気扇。
【請求項２】
前記巻回部は、
前記脚部と前記係合部とが係合していない状態では、
前記回動空間での前記巻回部の回動により前記円形状の内周に前記基部と前記第１リブとを位置させて前記台座部に前記巻回部の円周部側面を配置することができる請求項１記載の天井埋込形換気扇。
【請求項３】
前記台座部は、
１つの前記基部を挟んで対抗する位置に２つ設けられ、
２つの前記台座部の前記基部側端部間の距離は、
前記巻回部の直径よりも短い請求項１または２に記載の天井埋込形換気扇。
【請求項４】
前記基部を挟んで前記回動空間と対向する位置に前記基部の先端方向より前記ルーバーの表面に向けて前記基部より離れる方向に傾斜する第２リブを備え、
前記第２リブは、
前記基部の前記回動空間側端部から前記第２リブの前記ルーバー表面上の端部までの距離が前記巻回部の直径よりも長い請求項１から３のいずれかに記載の天井埋込形換気扇。
【請求項５】
前記両側の脚部は、
当該脚部と前記係合部とが係合していない状態において前記巻回部に設けられた接線と交わる請求項１から４のいずれかに記載の天井埋込形換気扇。
【発明の詳細な説明】
【技術分野】
【０００１】
本発明は、ルーバーをばねにより係合する天井埋込形換気扇に関するものである。
【背景技術】
【０００２】
従来、天井埋込形換気扇では、ばねの巻回部をルーバーの引掛け部に係合させ、ばねの両端を天井埋込形換気扇本体に係合させる。これによりばねがルーバーを本体側に引っ張ることでルーバーを天井に密着させていた。
【０００３】
以下、その天井埋込形換気扇について図９を参照しながら説明する。
【０００４】
図９に示す従来の天井埋込形換気扇１０１は、ルーバー１０２の引掛け部１０３に嵌合したばね１０４の両端を、係合部１０５に引掛けることで、本体方向１０６にルーバー１０２を引っ張り、ルーバー１０２を天井１０７に密着させていた。また、引掛け部１０３の周囲には変形を抑えるためのリブ１０６が設けられていた。
【先行技術文献】
【特許文献】
【０００５】
【特許文献１】特開２０００−２８３５４０号公報
【発明の概要】
【発明が解決しようとする課題】
【０００６】
このような従来の天井埋込形換気扇１０１においては、ルーバー１０２の梱包箱をできるだけ小さくするために、梱包時にばね１０４がルーバー１０２の外形よりも外に飛び出さないようにする必要があるが、引掛け部１０３周辺のリブ１０６が引っかかり、ばね１０４がルーバー１０２の外形より外に飛び出してしまうことがあった。そして飛び出した場合には、ばね１０４が変形してルーバー１０２の天井埋込形換気扇１０１の本体側への取付け時に問題が発生することがあった。
【０００７】
そこで本発明は、上記従来の課題を解決するものであり、梱包時にばね１０４がルーバー１０２の外形よりも外に飛び出さないようにすることができる天井埋込形換気扇１０１を提供することを目的とする。
【課題を解決するための手段】
【０００８】
この目的を達成するために、本発明に係る天井埋込形換気扇は、線材で形成され中央部に円形状に巻いた巻回部を有し両側に脚部を形成されたばねと、巻回部と係合する取付部を有するルーバーと、脚部の開き弾性力を利用してルーバーと係合する係合部を有する換気扇本体と、を備えた天井埋込形換気扇であって、取付部は、ルーバーの表面から換気扇本体側に突出する２つの基部と、基部の先端から他の基部の先端に向けて延設された引掛け部と、２つの引掛け部にて形成され巻回部を通過させるための隙間と、２つの基部と引掛け部とルーバーの表面とで形成され隙間を通過させた巻回部を回動するための回動空間と、を備え、基部は、ルーバーの表面を起点として基部の突出先端方向に向けて基部の突出を補強するための第１リブを備え、第１リブは、起点と突出先端との間に巻回部の円周部側面を位置させる台座部を備えており、これにより所期の目的を達成するものである。
【発明の効果】
【０００９】
本発明によれば、梱包時にばねがルーバー外形よりも外に飛び出さない天井埋込形換気扇を提供することができる。
【図面の簡単な説明】
【００１０】
【図１】本発明に係る天井埋込形換気扇の断面図
【図２】ルーバーの全体図
【図３】ばねの全体図
【図４】ばねが取付いていない状態における取付部周辺の拡大図
【図５】ばねが取付いていない状態における取付部周辺の拡大断面図
【図６】図２におけるＢ−Ｂ断面の一部を示す断面図
【図７】巻回部を回動空間に配置した際の部分断面図
【図８】巻回部を台座部上に配置した際の部分断面図
【図９】従来の換気扇の断面図
【発明を実施するための形態】
【００１１】
以下、本発明の実施の形態について図面を参照しながら説明する。なお、以下の実施の形態は、本発明を具体化した一例であって、本発明の技術的範囲を限定するものではない。
【００１２】
（実施の形態１）
図１に示すように、天井埋込形換気扇１は、換気扇本体２と、ルーバー３とを備える。ルーバー３は、換気扇本体２との間に天井４を位置させた状態で。後述のばね６により換気扇本体２に係止される。
【００１３】
換気扇本体２は、中空箱型形状であり、天井４の上方に配置される。換気扇本体２は、例えば吸込口２５を天井４の上面に位置させ、吹出口２６を側方に向けて配置される。換気扇本体２は、内部にモーターと羽根とからなる送風部を備えており、羽根を回転させることで吸込口２５から吹出口２６方向への気流を発生させる。換気扇本体２は、羽根側から吸込口２５方向に向けて突出する係合部５を備えている。
【００１４】
図２に示すように、ルーバー３は、矩形の板形状を有しており、中央部に矩形の開口２７を備えている。ルーバー３は、下面は化粧パネルとして室内空間に向けられ、上面は裏面として換気扇本体２に対向させて配置される。ルーバー３を換気扇本体２に係止した際には、開口２７が換気扇本体２の吸込口２５と対向して位置することで、室内空間から吹出口２６に至る風路が形成される。
【００１５】
ルーバー３は、ばね６とばね６を取り付けるための取付部７とを備えている。
【００１６】
取付部７は、矩形の開口２７を構成する、対向する２つの辺の中央近傍に１つずつ設けられる。
【００１７】
ばね６は、図３に示すように、一本の線材で形成される。ばね６は、略中央部に円形状に巻いた巻回部８と、両側に脚部９とを備えている。脚部９は、図３に示した側面視において、巻回部８の同一点から左右方向に延設して設けられ、それぞれの脚部９の中央近傍に、巻回部８と同一方向に膨出する膨出部３７を備えている。
【００１８】
ばね６は、外力が加わらない状態では、図３に示すように、脚部９と巻回部８とが略一直線上に位置する。換気扇本体２は、脚部９との係合部５を備えており、脚部９を外力により近接させて係合部５を通過させた後、外力を解除することでばね６の弾性によりばね６が換気扇本体２に引き寄せられる。この際、ばね６の巻回部８は、ルーバー３の取付部７に係止されているため、ルーバー３と換気扇本体２とが、ばね６の弾性力により天井４を挟んで係止される。
【００１９】
図５は、図２におけるＡ−Ａ断面図の一部である。取付部７は、図５に示すようにルーバー３の表面２８（裏面）から換気扇本体２側に突出する２つの基部１０（基部１０Ｌ及び基部１０Ｒ）と、基部１０の先端から他の基部１０の先端に向けて延設された引掛け部１１（引掛け部１１Ｌ及び引掛け部１１Ｒ）とを備える。また、取付部７は、２つの引掛け部１１にて形成され巻回部８を通過させるための隙間１２と、２つの基部１０と引掛け部１１とルーバー３の表面とで形成され隙間１２を通過させた巻回部８を回動するための回動空間１３とを備えている。
【００２０】
図６は、図２におけるＢ−Ｂ断面図の一部である。基部１０は、図６に示すように、ルーバー３の表面２８を起点として基部１０の突出先端４５の方向に向けて基部１０の突出を補強するための第１リブ１４を備える。
【００２１】
第１リブ１４は、基部１０から開口２７の一辺に平行に、ルーバー３の表面２８に添って左右方向に突出して設けられる。第１リブ１４は、ルーバー３の表面２８と突出先端４０との間に、巻回部８の円周部側面を位置させる台座部１５を備えている。円周部側面とは、巻回部８を中空円筒形とした場合における、天面、または底面を意味する。なお台座部１５の表面２８からの高さを台座部の高さ４１として示している。
【００２２】
台座部１５は、第１リブ１４毎に備えられているため、１つの基部１０を挟んで対抗する位置に２つ設けられることとなる。そして２つの台座部１５の基部１０側端部間の距離４２は、巻回部８の内周の直径よりも短い、
上記構造において、ばね６をルーバー３に取付け、ルーバー３を天井４に密着させるまでの操作を説明する。
【００２３】
ルーバー３の２つの隙間１２にそれぞれひとつずつ、ばね６の巻回部８を押し込み、回動空間１３に巻回部８を配置する。隙間１２は、換気扇本体２側に向けて漸次幅広に形成されている。このため、巻回部８を押し込み始めるときには隙間１２の幅が広くなるので、漸次幅広でない場合に比べて小さな力で巻回部８を通すことができる。また、隙間１２は、ルーバー３の表面側端部の幅が線材の径よりも小さい。これにより、ばね６が回動空間１３に係合した後、回動空間１３内を自由に動いても、隙間１２を通ることがなく、つまり巻回部８の抜けを抑制することができる。
【００２４】
図７は、巻回部８を回動空間１３に配置した際の部分断面図である。脚部９と係合部５とが係合していない状態では、巻回部８が回動空間１３に配置された後、両側の脚部９の重さによって、巻回部８は移動方向２０側に回転移動する。そして、この回転移動により、ばね６がルーバー外周方向２１側に倒れた時に、巻回部８の円周部側面が台座部の高さ４１の位置を下端として台座部１５上に配置される。
【００２５】
図８は、巻回部８を台座部１５上に配置した際の部分断面図である。図８に示すように、円周部側面が台座部１５上に配置されることで、脚部９をルーバー３の外形（高さ）内に収めることができる。このため、梱包の際にばね６が邪魔にならない。
【００２６】
また、２つの台座部１５の基部１０側端部間の距離４２は、巻回部８の内周の直径よりも短いため、巻回部８は２つの台座部１５を巻回部８の内周円に内包することができる。つまり、台座部１５の高さ４１を適切に設定することで、ばね６がルーバー外周方向２１に倒れた時に、どこまで倒れるかを任意に決定することができる。そのため、ばね６を梱包の際に邪魔にならない程度に倒しつつ、かつ強度を確保するために必要なリブ形状を構成することができる。
【００２７】
また、図６〜図８に示すように、基部１０を挟んで回動空間１３と対向する位置に基部１０の突出先端４５よりルーバー３の表面２８に向けて基部１０より離れる方向に傾斜する第２リブ１６を備える。
【００２８】
第２リブ１６は、基部１０の回動空間１３側端部から第２リブ１６のルーバー３表面上の端部までの距離４３が巻回部８の直径よりも長くしている。
【００２９】
これにより、ばね６がルーバー外周方向２１に倒れた時に、巻回部８の円周部のルーバー外周に近い部分が第２リブ１６に乗り上げる。このとき、巻回部８は、脚部９の重量の影響を受けてルーバー外周方向２１に力を受けるため、図８に示すように、ばね６はルーバー外周方向２１にずれる。これにより、梱包時のばね６の位置が定まり、梱包時にばね６が邪魔にならない。
【００３０】
また、図３に示すように、両側の脚部９は、脚部９と係合部５とが係合していない状態において、巻回部８に設けられた接線１７と交わる、という構成にしてもよい。これにより、脚部９から巻回部８間の形状が大きく湾曲している場合でも、ばね６をルーバー３の外形内に納めることができる。
【００３１】
（実施の形態の概要）
本発明に係る天井埋込形換気扇は、線材で形成され中央部に円形状に巻いた巻回部を有し両側に脚部を形成されたばねと、前記巻回部と係合する取付部を有するルーバーと、前記脚部の開き弾性力を利用して前記ルーバーと係合する係合部を有する換気扇本体と、を備えた天井埋込形換気扇であって、前記取付部は、前記ルーバーの表面から前記換気扇本体側に突出する２つの基部と、前記基部の先端から他の基部の先端に向けて延設された引掛け部と、２つの前記引掛け部にて形成され前記巻回部を通過させるための隙間と、前記２つの基部と前記引掛け部と前記ルーバーの表面とで形成され前記隙間を通過させた前記巻回部を回動するための回動空間と、を備え、前記基部は、前記ルーバーの表面を起点として前記基部の突出先端方向に向けて前記基部の突出を補強するための第１リブを備え、前記第１リブは、前記起点と前記突出先端との間に前記巻回部の円周部側面を位置させる台座部を備えている、という構成を有する。
【００３２】
さらに前記巻回部は、前記脚部と前記係合部とが係合していない状態では、前記回動空間での前記巻回部の回動により前記円形状の内周に前記基部と前記第１リブとを位置させて前記台座部に前記巻回部の円周部側面を配置することができる、という構成を有する。
【００３３】
上記構造により、脚部と係合部が係合していない状態で、巻回部の円周部側面を台座部に配置することが出来る。これにより、ばねが自由に動くことを抑制できるのでルーバー梱包の際に邪魔にならない、という効果を奏する。
【００３４】
また、前記台座部は、１つの前記基部を挟んで対抗する位置に２つ設けられ、２つの前記台座部の前記基部側端部間の距離は、前記巻回部の直径よりも短い、という構成にしてもよい。
【００３５】
上記構造により、巻回部は２つの台座部を内包するように設置することができるため、ばねを台座部の上先端から下先端の間に納めることができる。これにより、ばねがルーバー外形より飛び出さないため、梱包箱を薄くすることができる、という効果を奏する。
【００３６】
また、前記基部を挟んで前記回動空間と対向する位置に前記基部の先端方向より前記ルーバーの表面に向けて前記基部より離れる方向に傾斜する第２リブを備え、前記第２リブは、前記基部の前記回動空間側端部から前記第２リブの前記ルーバー表面上の端部までの距離が前記巻回部の直径よりも長い、という構成にしてもよい。
【００３７】
上記構造により、巻回部が第２リブに載った際、巻回部は自重によりリブの傾斜に沿って、ルーバー表面方向に移動する。これにより、ばねをより確実にルーバーの外形内に納めることができるため、梱包箱を薄くすることができる、という効果を奏する。
【００３８】
また、前記両側の脚部は、当該脚部と前記係合部とが係合していない状態において前記巻回部に設けられた接線と交わる、という構成にしてもよい。
【００３９】
上記構成により、ばねの外形を構成するのは脚部となる。従って、脚部を大きくしてもルーバー外形内にばねを納めることができる、という効果を奏する。
【産業上の利用可能性】
【００４０】
本発明にかかる内容は、樹脂部品で嵌合をしているものに応用可能なため、エアコンやパソコンなど樹脂で筐体をなしているもの全般に応用が考えられる。
【符号の説明】
【００４１】
１，１０１    天井埋込形換気扇
２    換気扇本体
３，１０２    ルーバー
４，１０７    天井
５，１０５    係合部
６，１０４    ばね
７    取付部
８    巻回部
９    脚部
１０，１０Ｌ，１０Ｒ    基部
１１，１１Ｌ，１１Ｒ，１０３    引掛け部
１２    隙間
１３    回動空間
１４    第１リブ
１５    台座部
１６    第２リブ
１７    接線
２０    移動方向
２１    ルーバー外周方向
２５    吸込口
２６    吹出口
２７    開口
２８    表面
３７    膨出部
４０    突出先端
４１    高さ
４２，４３    距離
４５    突出先端
【図１】
2019039643.tif 000003
【図２】
2019039643.tif 000004
【図３】
2019039643.tif 000005
【図４】
2019039643.tif 000006
【図５】
2019039643.tif 000007
【図６】
2019039643.tif 000008
【図７】
2019039643.tif 000009
【図８】
2019039643.tif 000010
【図９】
2019039643.tif 000011